【手続補正書】
【提出日】平成25年1月21日(2013.1.21)
【手続補正１】
【補正対象書類名】特許請求の範囲
【補正対象項目名】全文
【補正方法】変更
【補正の内容】
【特許請求の範囲】
【請求項１】
眼球表面疾患を検出するシステムであって、該システムは、
ａ．光源からの光によって、患者の眼の眼球表面を照射する手段であって、該光は、該光源と該眼球表面との間に位置付けられる照射フィルタによって、第１の所定の波長範囲において透過され、該第１の所定の波長範囲における光は、該眼球表面上の欠損に固着された造影剤を励起させる、手段と、
ｂ．該造影剤から放出される光信号を検出する手段であって、該光信号は、撮像フィルタによって、画像取込デバイスに、第２の所定の波長範囲において透過され、該撮像フィルタは、該眼球表面と該画像取込デバイスとの間に位置付けられる、手段と
を含み、
該画像取込デバイスは、造影剤の強度および分布の定量解析を提供する命令を含む機械可読記憶媒体に信号を伝送する、システム。
【請求項２】
前記眼球表面疾患は、ドライアイである、請求項１に記載のシステム。
【請求項３】
前記第１の所定の波長範囲以外の波長における前記照射フィルタの光学密度は、０．０００００１以下であって、前記撮像フィルタの光学密度は、前記第２の所定の波長範囲以外の波長では、０．０００００１以下である、請求項１に記載のシステム。
【請求項４】
前記造影剤は、フルオレセインであり、前記照射フィルタは、４６５ｎｍから５００ｎｍまでの範囲における光を透過し、前記撮像フィルタは、５１５ｎｍよりも長い光を透過する、請求項１に記載のシステム。
【請求項５】
眼球表面疾患を検出するシステムであって、該システムは、
ａ．光源からの光によって、患者の眼の眼球表面を照射する手段であって、該光は、該光源と該眼球表面との間に位置付けられる照射フィルタによって、第１の配向に偏光され、該第１の配向に偏光された光は、該眼球表面上の欠損に固着された造影剤を励起させる、手段と、
ｂ．該造影剤から放出される光信号を検出する手段であって、該光信号は、撮像フィルタによって、第２の配向に偏光され、該撮像フィルタによって、画像取込デバイスに透過され、該撮像フィルタは、該眼球表面と該画像取込デバイスとの間に位置付けられる、手段と
を含み、
該画像取込デバイスは、造影剤の強度および分布の定量解析を提供する命令を含む機械可読記憶媒体に信号を伝送する、システム。
【請求項６】
前記照射フィルタおよび前記撮像フィルタは、偏光フィルタであり、逆方向に調節される、請求項５に記載のシステム。
【請求項７】
前記照射フィルタおよび前記撮像フィルタは、円偏光フィルタであって、該フィルタの一方は、左円であって、他方は、右円である、請求項５に記載のシステム。
【請求項８】
眼球表面検査装置であって、
ａ．照射経路に沿って、眼球表面上に光を向けるための光源と、
ｂ．該照射経路内で光を透過する照射フィルタと、
ｃ．撮像経路に沿って患者の眼球表面上の造影剤から反射される光を透過する撮像フィルタと、
ｄ．該患者の眼球表面上の該造影剤から反射される光を検出するための画像取込デバイスと、
ｅ．取り込まれた画像内の被写界深度を増大させるための光学系と
を備え、
該照射経路内の光は、該撮像フィルタを通過不可能である、装置。
【請求項９】
造影剤の強度および分布の定量解析を提供する命令を含む、機械可読記憶媒体をさらに備える、請求項８に記載の装置。
【請求項１０】
前記照射フィルタは、第１の所定の波長範囲における光を透過し、前記撮像フィルタは、第２の所定の波長範囲における光を透過し、該第１および第２の所定の波長範囲は、重複しない、請求項８に記載の装置。
【請求項１１】
前記照射フィルタは、４６５ｎｍから５００ｎｍまでの範囲における光を透過し、前記撮像フィルタは、５１５ｎｍよりも長い光を透過する、請求項１０に記載の装置。
【請求項１２】
４６５ｎｍから５００ｎｍまで以外の波長における前記照射フィルタの光学密度は、０．０００００１以下であり、前記撮像フィルタの光学密度は、４６５ｎｍから５００ｎｍまでの波長では、０．０００００１以下である、請求項１０に記載の装置。
【請求項１３】
前記照射フィルタおよび前記撮像フィルタは、偏光フィルタであり、逆方向に調節される、請求項８に記載の装置。
【手続補正２】
【補正対象書類名】明細書
【補正対象項目名】００１５
【補正方法】変更
【補正の内容】
【００１５】
本願は、例えば、以下の項目も提供する。
（項目１）
眼球表面疾患を検出する方法であって、該方法は、
ａ．光源からの光によって、患者の眼の眼球表面を照射するステップであって、該光は、該光源と該眼球表面との間に位置付けられる照射フィルタによって、第１の所定の波長範囲において透過され、該第１の所定の波長範囲における光は、該眼球表面上の欠損に固着された造影剤を励起させる、ステップと、
ｂ．該造影剤から放出される光信号を検出するステップであって、該光信号は、撮像フィルタによって、画像取込デバイスに、第２の所定の波長範囲において透過され、該撮像フィルタは、該眼球表面と該画像取込デバイスとの間に位置付けられる、ステップと
を含み、
該画像取込デバイスは、造影剤の強度および分布の定量解析を提供する命令を含む機械可読記憶媒体に信号を伝送する、方法。
（項目２）
前記眼球表面疾患は、ドライアイである、項目１に記載の方法。
（項目３）
前記第１の所定の波長範囲以外の波長における前記照射フィルタの光学密度は、０．０００００１以下であって、前記撮像フィルタの光学密度は、前記第２の所定の波長範囲以外の波長では、０．０００００１以下である、項目１に記載の方法。
（項目４）
前記造影剤は、フルオレセインであり、前記照射フィルタは、４６５ｎｍから５００ｎｍまでの範囲における光を透過し、前記撮像フィルタは、５１５ｎｍよりも長い光を透過する、項目１に記載の方法。
（項目５）
眼球表面疾患を検出する方法であって、該方法は、
ａ．光源からの光によって、患者の眼の眼球表面を照射するステップであって、該光は、該光源と該眼球表面との間に位置付けられる照射フィルタによって、第１の配向に偏光され、該第１の配向に偏光された光は、該眼球表面上の欠損に固着された造影剤を励起させる、ステップと、
ｂ．該造影剤から放出される光信号を検出するステップであって、該光信号は、撮像フィルタによって、第２の配向に偏光され、該撮像フィルタによって、画像取込デバイスに透過され、該撮像フィルタは、該眼球表面と該画像取込デバイスとの間に位置付けられる、ステップと
を含み、
該画像取込デバイスは、造影剤の強度および分布の定量解析を提供する命令を含む機械可読記憶媒体に信号を伝送する、方法。
（項目６）
前記照射フィルタおよび前記撮像フィルタは、偏光フィルタであり、逆方向に調節される、項目５に記載の方法。
（項目７）
前記照射フィルタおよび前記撮像フィルタは、円偏光フィルタであって、該フィルタの一方は、左円であって、他方は、右円である、項目５に記載の方法。
（項目８）
眼球表面検査装置であって、
ａ．照射経路に沿って、眼球表面上に光を向けるための光源と、
ｂ．該照射経路内で光を透過する照射フィルタと、
ｃ．患者の眼球表面撮像経路に沿って、造影剤から反射される光を透過する撮像フィルタと、
ｄ．該患者の眼球表面上の該造影剤から反射される光を検出するための画像取込デバイスと、
ｅ．取り込まれた画像内の被写界深度を増大させるための光学系と
を備え、
該照射経路内の光は、該撮像フィルタを通過不可能である、装置。
（項目９）
造影剤の強度および分布の定量解析を提供する命令を含む、機械可読記憶媒体をさらに備える、項目８に記載の装置。
（項目１０）
前記照射フィルタは、第１の所定の波長範囲における光を透過し、前記撮像フィルタは、第２の所定の波長範囲における光を透過し、該第１および第２の所定の波長範囲は、重複しない、項目８に記載の装置。
（項目１１）
前記照射フィルタは、４６５ｎｍから５００ｎｍまでの範囲における光を透過し、前記撮像フィルタは、５１５ｎｍよりも長い光を透過する、項目１０に記載の装置。
（項目１２）
４６５ｎｍから５００ｎｍまで以外の波長における前記照射フィルタの光学密度は、０．０００００１以下であり、前記撮像フィルタの光学密度は、４６５ｎｍから５００ｎｍまでの波長では、０．０００００１以下である、項目１０に記載の装置。
（項目１３）
前記照射フィルタおよび前記撮像フィルタは、偏光フィルタであり、逆方向に調節される、項目８に記載の装置。
本発明の特定の好ましい実施形態は、以下のある好ましい実施形態のより詳細な説明および請求項から明白となるであろう。